(57)【要約】【課題】ＤＲＸ状態の移動局ＵＥのバッテリセービングを効果的に実現する。【解決手段】本発明に係る移動局ＵＥ及び無線基地局ｅＮＢは、移動局ＵＥが複数のＣＣを用いてＣＡを行う場合、ＭＡＣ-ＣＥを用いて、各ＣＣにおける上りリンクの送信を停止するように指示することができるように構成されている送信部１２を具備する。【選択図】図３
2014072638.tif 000002
【特許請求の範囲】
【請求項１】
複数のコンポーネントキャリアを用いてキャリアアグリゲーションを行っている移動局に対して、ＭＡＣレイヤにおける制御要素を用いて、各コンポーネントキャリアにおける上りリンクの送信を停止するように指示することができるように構成されている送信部を具備することを特徴とする無線基地局。
【請求項２】
前記送信部は、前記コンポーネントキャリアごとに、前記指示を行うように構成されていることを特徴とする請求項１に記載の無線基地局。
【請求項３】
前記送信部は、前記コンポーネントキャリアのグループごとに、前記指示を行うように構成されていることを特徴とする請求項１に記載の無線基地局。
【請求項４】
前記送信部は、前記情報要素を用いて、前記上りリンクの送信を停止するように指示する、或いは、該上りリンクの送信を開始するように指示するように構成されていることを特徴とする請求項１に記載の無線基地局。
【請求項５】
前記送信部は、前記情報要素を用いて、前記上りリンクにおける送信状態を変更するように指示する、或いは、該上りリンクにおける現在の送信状態を維持するように指示するように構成されていることを特徴とする請求項１に記載の無線基地局。
【請求項６】
前記送信部は、前記情報要素を用いて、タイミング調整タイマを停止するように指示する、或いは、該タイミング調整タイマを起動するように指示するように構成されていることを特徴とする請求項１に記載の無線基地局。
【請求項７】
前記送信部は、前記情報要素を用いて、タイミング調整タイマの状態を変更するように指示する、或いは、該タイミング調整タイマの現在の状態を維持するように指示するように構成されていることを特徴とする請求項１に記載の無線基地局。
【請求項８】
前記送信部は、前記情報要素を用いて、タイミング調整タイマを停止或いは満了させるか否かについて指示するように構成されていることを特徴とする請求項１に記載の無線基地局。
【請求項９】
前記送信部は、上りリンクの送信を停止したコンポーネントキャリアにおいて、上りリンクの送信を指示することによって、該コンポーネントキャリアにおける上りリンクの送信を再開するように指示するように構成されていることを特徴とする請求項１乃至８のいずれか一項に記載の無線基地局。
【請求項１０】
前記送信部は、上りリンクの送信を停止したコンポーネントキャリアにおいて、タイミング調整コマンドを送信することによって、該コンポーネントキャリアにおける上りリンクの送信を再開するように指示するように構成されていることを特徴とする請求項１乃至８のいずれか一項に記載の無線基地局。
【請求項１１】
複数のコンポーネントキャリアを用いてキャリアアグリゲーションを行うことができるように構成されている移動局であって、
受信したＭＡＣレイヤにおける制御要素に応じて、各コンポーネントキャリアにおける上りリンクの送信を停止することができるように構成されている制御部を具備することを特徴とする移動局。
【請求項１２】
前記制御部は、前記コンポーネントキャリアごとに、前記上りリンクの送信の停止を行うように構成されていることを特徴とする請求項１１に記載の移動局。
【請求項１３】
前記制御部は、前記コンポーネントキャリアのグループごとに、前記上りリンクの送信の停止を行うように構成されていることを特徴とする請求項１１に記載の移動局。
【請求項１４】
前記制御部は、前記制御要素に応じて、前記上りリンクの送信を停止する、或いは、該上りリンクの送信を開始するように構成されていることを特徴とする請求項１１に記載の移動局。
【請求項１５】
前記制御部は、前記制御要素に応じて、前記上りリンクにおける送信状態を変更する、或いは、該上りリンクにおける現在の送信状態を維持するように構成されていることを特徴とする請求項１１に記載の移動局。
【請求項１６】
前記制御部は、前記制御要素に応じて、タイミング調整タイマを停止する、或いは、該タイミング調整タイマを起動するように構成されていることを特徴とする請求項１１に記載の移動局。
【請求項１７】
前記制御部は、前記制御要素に応じて、タイミング調整タイマの状態を変更する、或いは、該タイミング調整タイマの現在の状態を維持するように構成されていることを特徴とする請求項１１に記載の移動局。
【請求項１８】
前記制御部は、前記制御要素に応じて、タイミング調整タイマを満了させるか否かについて決定するように構成されていることを特徴とする請求項１１に記載の移動局。
【請求項１９】
前記制御部は、前記制御要素に応じて、主キャリア又は副キャリアのいずれであるか、或いは、主キャリアを含むコンポーネントキャリアのグループであるか否かに応じて、タイミング調整タイマを停止或いは満了させるか否か、或いは、上りリンク送信を停止するか否かが決定するように構成されていることを特徴とする請求項１１に記載の移動局。
【請求項２０】
前記制御部は、上りリンクの送信を停止したコンポーネントキャリアにおいて、上りリンクの送信が指示された場合、該コンポーネントキャリアにおける上りリンクの送信を再開するように構成されていることを特徴とする請求項１１乃至１９のいずれか一項に記載の移動局。
【請求項２１】
前記制御部は、上りリンクの送信を停止したコンポーネントキャリア或いはコンポーネントキャリアのグループにおいて、タイミング調整コマンドが受信された場合、該コンポーネントキャリアにおける上りリンクの送信を再開するように構成されていることを特徴とする請求項１１乃至１９のいずれか一項に記載の移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式では、移動局ＵＥのバッテリセービングを目的に、「ＲＲＣ_Ｃｏｎｎｅｃｔｅｄ状態」の移動局ＵＥをＤＲＸ（Ｄｉｓｃｏｎｔｉｕｏｕｓ  Ｒｅｃｅｐｔｉｏｎ）状態に遷移させる制御を行うことができるように規定されている。
【０００３】
具体的には、ＤＲＸ状態の移動局ＵＥは、Ａｃｔｉｖｅ状態とＩｎａｃｔｉｖｅ状態との間を遷移するように構成されている。
【０００４】
ここで、Ａｃｔｉｖｅ状態の移動局ＵＥは、ＰＤＣＣＨ（物理下りリンク制御チャネル）を監視し、無線基地局ｅＮＢに対して、フィードバック情報、例えば、ＣＱＩ（Ｃｈａｎｎｅｌ  Ｑｕａｌｉｔｙ  Ｉｎｄｉｃａｔｏｒ）やＰＭＩ（Ｐｒｅｃｏｄｉｎｇ  Ｍａｔｒｉｘ  Ｉｎｄｅｘ）やＲＩ（Ｒａｎｋ  Ｉｎｄｉｃａｔｏｒ）やＰＴＩ（Ｐｒｅｃｏｄｉｎｇ  Ｔｙｐｅ  Ｉｎｄｉｃａｔｏｒ）等を報告するように構成されている。
【０００５】
一方、Ｉｎａｃｔｉｖｅ状態の移動局ＵＥは、ＰＤＣＣＨを監視せず、無線基地局ｅＮＢに対して、フィードバック情報を報告しないように構成されているため、移動局ＵＥのバッテリセービングを実現することができる。
【０００６】
以下のいずれかのケースにおいて、移動局ＵＥは、Ａｃｔｉｖｅ状態となり、それ以外のケースにおいて、移動局ＵＥは、Ｉｎａｃｔｉｖｅ状態となる。
【０００７】
-  「Ｏｎ  ｄｕｒａｔｉｏｎ  ｔｉｍｅｒ」、「ｄｒｘ-ＩｎａｃｔｉｖｉｔｙＴｉｍｅｒ」、ｄｒｘ-ＲｅｔｒａｎｓｍｉｓｓｉｏｎＴｉｍｅｒ」及び「ｍａｃ-ｃｏｎｔｅｎｓｉｏｎＲｅｓｏｌｕｔｉｏｎＴｉｍｅｒ」のいずれかが起動しているケース
-  スケジュール要求（Ｓｃｈｅｄｕｌｉｎｇ  Ｒｅｑｕｅｓｔ）を送信したケース
-  上りリンクにおけるＨＡＲＱ（Ｈｙｂｒｉｄ  ＡＲＱ）再送のための「ＵＬ  ｇｒａｎｔ」が割り当てられるケース
-  ランダムアクセス応答（Ｒａｎｄｏｍ  Ａｃｃｅｓｓ  Ｒｅｓｕｐｏｎｓｅ）を受信した後、ＰＤＣＣＨを介して、新規送信を指示する下りリンク制御信号を受信していないケース
図６及び図７に、ＤＲＸ状態に遷移するように設定されている移動局ＵＥの動作を示す。
【先行技術文献】
【非特許文献】
【０００８】
【非特許文献１】３ＧＰＰ  ＴＳ３６.３２１
【発明の概要】
【発明が解決しようとする課題】
【０００９】
ＤＲＸ状態の移動局ＵＥも、「Ｏｎ  ｄｕｒａｔｉｏｎ」時には、「ＣＳＩ（Ｃｈａｎｎｅｌ  Ｓｔａｔｅ  Ｉｎｄｉｃａｔｏｒ）  ｒｅｐｏｒｔｉｎｇ」を行わなければならないが、ＤＲＸ状態に遷移する程、送受信すべきデータ信号が少ない移動局ＵＥに対して、常に「ＣＳＩ  ｒｅｐｏｒｔｉｎｇ」を行わせることは、バッテリセービングの観点から望ましくないという問題点があった。
【００１０】
かかる問題点を解決するために、無線基地局ｅＮＢが、ＴＡ（Ｔｉｍｉｎｇ  Ａｄｖａｎｃｅ）コマンドの送信を停止することによって、「ＴＡ  ｔｉｍｅｒ」が満了した場合に、移動局ＵＥが、上りリンク個別リソースを解放して、「ＣＳＩ  ｒｅｐｏｒｔｉｎｇ」を停止するという方法も想定されるが、「ＴＡ  ｔｉｍｅｒ」＝「ｉｎｆｉｎｉｔｙ」と設定されている場合には、かかる方法は適用することができないという問題点が残る。
【００１１】
ここで、移動局ＵＥは、ＴＡコマンドを受信する度に、「ＴＡ  ｔｉｍｅｒ」を再起動するように構成されているものとする。
【００１２】
また、無線基地局ｅＮＢが、送受信すべきデータ信号が存在しない移動局ＵＥに対して、ＲＲＣ（Ｒａｄｉｏ  Ｒｅｓｏｕｒｃｅ  Ｃｏｎｔｒｏｌ）シグナリングによって、上りリンク個別リソースを解放するという方法も想定されるが、ＲＲＣシグナリングの負荷が増加するという問題点や、ＲＲＣシグナリングの遅延が大きいためダイナミックな制御を行うことができないといった問題点が残る。
【００１３】
そこで、本発明は、上述の課題に鑑みてなされたものであり、ＤＲＸ状態の移動局のバッテリセービングを効果的に実現することができる無線基地局及び移動局を提供することを目的とする。
【課題を解決するための手段】
【００１４】
本発明の第１の特徴は、無線基地局であって、複数のコンポーネントキャリアを用いてキャリアアグリゲーションを行っている移動局に対して、ＭＡＣレイヤにおける制御要素を用いて、各コンポーネントキャリアにおける上りリンクの送信を停止するように指示する指示情報を通知することができるように構成されている送信部を具備することを要旨とする。
【００１５】
本発明の第２の特徴は、複数のコンポーネントキャリアを用いてキャリアアグリゲーションを行うことができるように構成されている移動局であって、受信したＭＡＣレイヤにおける制御要素に応じて、各コンポーネントキャリアにおける上りリンクの送信を停止することができるように構成されている制御部を具備することを要旨とする。
【発明の効果】
【００１６】
以上説明したように、本発明によれば、ＤＲＸ状態の移動局のバッテリセービングを効果的に実現することができる無線基地局及び移動局を提供することができる。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるＭＡＣ-ＣＥのフォーマットの一例を示す図である。
【図４】本発明の第１の実施形態に係る無線基地局によって送信されるＭＡＣ-ＣＥのフォーマットの一例を示す図である。
【図５】本発明の第１の実施形態に係る移動局の機能ブロック図である。
【図６】従来技術を説明するための図である。
【図７】従来技術を説明するための図である。
【発明を実施するための形態】
【００１８】
（本発明の第１の実施形態に係る移動通信システム）
図１乃至図５を参照して、本発明の第１の実施形態に係る移動通信システムについて説明する。
【００１９】
本実施形態に係る移動通信システムは、ＬＴＥ-Ａｄｖａｎｃｅｄ方式の移動通信システムであって、図１の例では、無線基地局ｅＮＢと、無線基地局ｅＮＢ配下のセルにおいて「ＲＲＣ_Ｃｏｎｎｅｃｔｅｄ状態」の移動局ＵＥとを具備している。
【００２０】
本実施形態に係る移動通信システムでは、移動局ＵＥと無線基地局ｅＮＢとの間で、複数のＣＣ（Ｃｏｍｐｏｎｅｎｔ  Ｃａｒｒｉｅｒ）を用いてＣＡ（Ｃａｒｒｉｅｒ  Ａｇｇｒｅｇａｔｉｏｎ）を行うことができるように構成されている。
【００２１】
また、本実施形態に係る移動通信システムでは、無線基地局ｅＮＢは、移動局ＵＥに対して、ＲＲＣシグナリングを用いて、ＤＲＸ状態に遷移するように設定することができるように構成されている。
【００２２】
図２に示すように、本実施形態に係る無線基地局ｅＮＢは、制御部１１と、送信部１２とを具備している。
【００２３】
制御部１１は、無線基地局ｅＮＢにおける各種制御を行うように構成されている。例えば、制御部１１は、移動局ＵＥとの間で行うＣＡに係る制御や、ＤＲＸ状態の移動局ＵＥに係る制御等を行うように構成されている。
【００２４】
送信部１２は、移動局ＵＥに対して、各種信号を送信するように構成されている。例えば、送信部１２は、移動局ＵＥに対して、ＲＲＣシグナリングやＭＡＣ-ＣＥ（Ｍｅｄｉａ  Ａｃｃｅｓｓ  Ｃｏｔｒｏｌ-Ｃｏｎｔｒｏｌ  Ｅｌｅｍｅｎｔ）等を送信するように構成されている。
【００２５】
ここで、送信部１２は、ＣＡを行っている移動局ＵＥに対して、ＭＡＣ-ＣＥを用いて、各ＣＣにおける上りリンクの送信を停止するように指示することができるように構成されている。
【００２６】
ここで、ＣＣは、ＰＣＣ（Ｐｒｉｍａｒｙ  Ｃｏｍｐｏｎｅｎｔ  Ｃａｒｒｉｅｒ）とＳＣＣ（Ｓｅｃｏｎｄａｒｙ  Ｃｏｍｐｏｎｅｎｔ  Ｃａｒｒｉｅｒ）に分別することができる。
【００２７】
なお、ＣＡを行っており且つＤＲＸ状態に遷移するように設定されている移動局ＵＥ、或いは、ＣＡを行っており且つＤＲＸ状態の移動局ＵＥに対して、ＭＡＣ-ＣＥを用いて、各ＣＣにおける上りリンクの送信を停止するように指示することができるように構成されていてもよい。
【００２８】
例えば、送信部１２は、図３に示すＭＡＣ-ＣＥを用いて、ＣＣごとに、上述の指示を行うように構成されていてもよい。
【００２９】
図３に示すＭＡＣ-ＣＥは、ＬＴＥ-Ａｄｖａｎｃｅｄ方式で新規に規定されるＭＡＣ-ＣＥであって、「Ｃ０」〜「Ｃ７」によって特定されるＣＣに対して、上りリンクの送信を停止するように指示することができる。例えば、かかるＭＡＣ-ＣＥは、上りリンクの送信を停止するＣＣを特定する「Ｃ０」〜「Ｃ７」に「１」を設定するものとする。
【００３０】
或いは、送信部１２は、図４に示すＭＡＣ-ＣＥを用いて、ＣＣのグループであるＣＣ群ごとに、上述の指示を行うように構成されていてもよい。
【００３１】
図４に示すＭＡＣ-ＣＥは、ＬＴＥ-Ａｄｖａｎｃｅｄ方式で新規に規定されるＭＡＣ-ＣＥであって、「Ｇ０」〜「Ｇ３」によって特定されるＣＣ群に属するＣＣに対して、上りリンクの送信を停止するように指示することができる。例えば、かかるＭＡＣ-ＣＥは、上りリンクの送信を停止するＣＣが属するＣＣ群を特定する「Ｇ０」〜「Ｇ３」に「１」を設定するものとする。
【００３２】
また、送信部１２は、上述のＭＡＣ-ＣＥを用いて、上りリンクの送信を停止するように指示する、或いは、上りリンクの送信を開始（再開）するように指示するように構成されていてもよい。
【００３３】
また、送信部１２は、上述のＭＡＣ-ＣＥを用いて、上りリンクにおける送信状態を変更するように指示する、或いは、上りリンクにおける現在の送信状態を維持するように指示するように構成されていてもよい。
【００３４】
また、送信部１２は、上述のＭＡＣ-ＣＥを用いて、「ＴＡ  ｔｉｍｅｒ」を停止するように指示する、或いは、「ＴＡ  ｔｉｍｅｒ」を起動するように指示するように構成されていてもよい。
【００３５】
また、送信部１２は、上述のＭＡＣ-ＣＥを用いて、「ＴＡ  ｔｉｍｅｒ」の状態を変更するように指示する、或いは、「ＴＡ  ｔｉｍｅｒ」の現在の状態を維持するように指示するように構成されていてもよい。
【００３６】
また、送信部１２は、上述のＭＡＣ-ＣＥを用いて、「ＴＡ  ｔｉｍｅｒ」を満了させるか否かについて指示するように構成されていてもよい。
【００３７】
さらに、送信部１２は、上りリンクの送信を停止したＣＣ又はＣＣ群に属するＣＣにおいて、上りリンクの送信が指示される、すなわち、ＰＵＳＣＨを割り当てることによって、或いは、ＳＲＳ（Ｓｏｕｎｄｉｎｇ  Ｒｅｆｅｒｅｎｃｅ  Ｓｉｇｎａｌ）やランダムアクセスプリアンブルの送信をトリガすることによって、かかるＣＣにおける上りリンクの送信を再開するように指示するように構成されていてもよい。
【００３８】
ここで、送信部１２は、「Ｃｒｏｓｓ  Ｃａｒｒｉｅｒ  Ｓｃｈｅｄｕｌｉｎｇ」のケースであっても、上りリンクの送信を停止したＣＣにおいて、上りリンク送信を指示することによって、かかるＣＣにおける上りリンクの送信を再開するように指示するように構成されていてもよい。
【００３９】
また、送信部１２は、上りリンクの送信を停止したＣＣ又はＣＣ群に属するＣＣにおいて、ＴＡコマンド（ＲＡ手順におけるＴＡコマンドを含む）を送信することによって、かかるＣＣにおける上りリンクの送信を再開するように指示するように構成されていてもよい。
【００４０】
図５に示すように、本実施形態に係る移動局ＵＥは、受信部２１と、制御部２２とを具備している。
【００４１】
受信部２１は、無線基地局ｅＮＢから各種信号を受信するように構成されている。例えば、受信部２１は、無線基地局ｅＮＢから、ＲＲＣシグナリングやＭＡＣ-ＣＥ等を受信するように構成されている。
【００４２】
制御部２２は、移動局ＵＥにおける各種制御を行うように構成されている。例えば、制御部２２は、無線基地局ｅＮＢとの間で行うＣＡに係る制御や、ＤＲＸ状態である場合（ＤＲＸ状態に遷移するように設定されている場合）の制御等を行うように構成されている。
【００４３】
例えば、制御部２２は、受信部２１によって受信されたＭＡＣ-ＣＥにおいて「１」が設定されている「Ｃｉ」によって特定されるＣＣにおける上りリンク信号の送信を停止するように構成されている。
【００４４】
或いは、制御部２２は、受信部２１によって受信されたＭＡＣ-ＣＥにおいて「１」が設定されている「Ｇｉ」によって特定されるＣＣ群に属するＣＣにおける上りリンク信号の送信を停止するように構成されている。
【００４５】
また、制御部２２は、受信部２１によって受信されたＭＡＣ-ＣＥにおいて「０」が設定されている「Ｃｉ」によって特定されるＣＣにおける上りリンク信号の送信が停止されている場合、かかるＣＣにおける送信を再開するように構成されていてもよい。
【００４６】
また、制御部２２は、受信部２１によって受信されたＭＡＣ-ＣＥにおいて「０」が設定されている「Ｇｉ」によって特定されるＣＣ群に属するＣＣにおける上りリンク信号の送信が停止されている場合、かかるＣＣにおける送信を再開するように構成されていてもよい。
【００４７】
また、制御部２２は、上りリンクの送信が停止されているＣＣにおいて、上りリンクの送信が指示された、すなわち、ＰＤＣＣＨを介してＰＵＳＣＨが割り当てられた場合、或いは、ＳＲＳ送信やランダムアクセスプリアンブル送信がトリガされた場合、かかるＣＣにおける上りリンクの送信を再開するように構成されていてもよい。
【００４８】
さらに、制御部２２は、上りリンクの送信が停止されているＣＣにおいて、ＴＡコマンドを受信した場合、かかるＣＣにおける上りリンクの送信を再開するように構成されていてもよい。
【００４９】
以上に述べた本実施形態の特徴は、以下のように表現されていてもよい。
【００５０】
本実施形態の第１の特徴は、無線基地局ｅＮＢであって、複数のＣＣ（コンポーネントキャリア）を用いてＣＡ（キャリアアグリゲーション）を行っている移動局ＵＥに対して、ＭＡＣ-ＣＥ（ＭＡＣレイヤにおける制御要素）を用いて、各ＣＣにおける上りリンクの送信を停止するように指示することができるように構成されている送信部を具備することを要旨とする。
【００５１】
かかる構成によれば、無線基地局ｅＮＢは、移動局ＵＥに対して、新たに規定したＭＡＣ-ＣＥを用いて、各ＣＣにおける上りリンクの送信を停止するように指示することができるように構成されているため、無線リソースを浪費すること無く且つ小さい遅延で、ＤＲＸ状態の移動局ＵＥによる「ＣＳＩ  ｒｅｐｏｒｔｉｎｇ」を停止することができる。
【００５２】
本実施形態の第１の特徴において、送信部１２は、ＣＣごとに、上述の指示を行うように構成されていてもよい。
【００５３】
かかる構成によれば、ＣＣごとに、柔軟に、上りリンクの送信を停止することができる。
【００５４】
本実施形態の第１の特徴において、送信部１２は、ＣＣ群（コンポーネントキャリアのグループ）ごとに、上述の指示を行うように構成されていてもよい。
【００５５】
かかる構成によれば、少ないデータ量のＭＡＣ-ＣＥを用いて、各ＣＣにおける上りリンクの送信を停止することができる。
【００５６】
本実施形態の第１の特徴において、送信部１２は、上述のＭＡＣ-ＣＥを用いて、上りリンクの送信を停止するように指示する、或いは、上りリンクの送信を開始するように指示するように構成されていてもよい。
【００５７】
かかる構成によれば、新たに規定したＭＡＣ-ＣＥを用いて、上りリンクの送信の停止だけで無く、上りリンクの送信の再開についても指示することができる。
【００５８】
本実施形態の第１の特徴において、送信部１２は、上述のＭＡＣ-ＣＥを用いて、上りリンクにおける送信状態を変更するように指示する、或いは、上りリンクにおける現在の送信状態を維持するように指示するように構成されていてもよい。
【００５９】
かかる構成によれば、新たに規定したＭＡＣ-ＣＥを用いて、上りリンクの送信の停止だけで無く、上りリンクの送信の再開についても指示することができる。
【００６０】
本実施形態の第１の特徴において、送信部１２は、上述のＭＡＣ-ＣＥを用いて、「ＴＡ  ｔｉｍｅｒ（タイミング調整タイマ）」を停止するように指示する、或いは、「ＴＡ  ｔｉｍｅｒ」を起動するように指示するように構成されていてもよい。
【００６１】
かかる構成によれば、新たに規定したＭＡＣ-ＣＥを用いて、「ＴＡ  ｔｉｍｅｒ」の状態を制御することによって、上りリンクの送信の停止だけで無く、上りリンクの送信の再開についても指示することができる。
【００６２】
本実施形態の第１の特徴において、送信部１２は、上述のＭＡＣ-ＣＥを用いて、「ＴＡ  ｔｉｍｅｒ」の状態を変更するように指示する、或いは、「ＴＡ  ｔｉｍｅｒ」の現在の状態を維持するように指示するように構成されていてもよい。
【００６３】
かかる構成によれば、新たに規定したＭＡＣ-ＣＥを用いて、「ＴＡ  ｔｉｍｅｒ」の状態を制御することによって、上りリンクの送信の停止だけで無く、上りリンクの送信の再開についても指示することができる。
【００６４】
本実施形態の第１の特徴において、送信部１２は、上述のＭＡＣ-ＣＥを用いて、「ＴＡ  ｔｉｍｅｒ」を停止或いは満了させるか否かについて指示するように構成されていてもよい。
【００６５】
かかる構成によれば、新たに規定したＭＡＣ-ＣＥを用いて、「ＴＡ  ｔｉｍｅｒ」の状態を制御することによって、上りリンクの送信の停止だけで無く、上りリンクの送信の再開についても指示することができる。
【００６６】
本実施形態の第１の特徴において、送信部１２は、上りリンクの送信を停止したＣＣにおいて、上りリンクの送信が指示された場合、すなわち、ＰＵＳＣＨ（上りリンクデータ信号送信用のリソース）を割り当てることによって、或いは、ＳＲＳ送信やランダムアクセスプリアンブル送信をトリガすることによって、かかるＣＣにおける上りリンクの送信を再開するように指示するように構成されていてもよい。
【００６７】
かかる構成によれば、上りリンクの送信の停止だけで無く、上りリンクの送信の再開についても指示することができる。
【００６８】
本実施形態の第１の特徴において、送信部１２は、上りリンクの送信を停止したＣＣにおいて、ＴＡコマンドを送信することによって、かかるＣＣにおける上りリンクの送信を再開するように指示するように構成されていてもよい。
【００６９】
かかる構成によれば、上りリンクの送信の停止だけで無く、上りリンクの送信の再開についても指示することができる。
【００７０】
さらに、CC種別（主キャリア、副キャリア）毎（或いは主キャリアを含むCC群、主キャリアを含まないCC群毎）に、TA timerを停止する、或いは上りリンクの送信を停止するか等、異なる制御が指示されても良い。
【００７１】
本実施形態の第２の特徴は、複数のＣＣを用いてＣＡを行うことができるように構成されている移動局ＵＥであって、受信したＭＡＣ-ＣＥに応じて、各ＣＣにおける上りリンクの送信を停止するように構成されている制御部２２を具備することを要旨とする。
【００７２】
かかる構成によれば、新たに規定したＭＡＣ-ＣＥにより、各ＣＣにおける上りリンクの送信を停止することができるように構成されているため、無線リソースを浪費すること無く且つ小さい遅延で、ＤＲＸ状態における「ＣＳＩ  ｒｅｐｏｒｔｉｎｇ」を停止することができる。
【００７３】
本実施形態の第２の特徴において、制御部２２は、ＣＣごとに、上述の上りリンク送信を停止するように構成されていてもよい。
【００７４】
かかる構成によれば、ＣＣごとに、柔軟に、上りリンクの送信を停止することができる。
【００７５】
本実施形態の第２の特徴において、制御部２２は、ＣＣ群ごとに、上述の上りリンクの送信を停止するように構成されていてもよい。
【００７６】
かかる構成によれば、少ないデータ量のＭＡＣ-ＣＥを用いて、各ＣＣにおける上りリンクの送信を停止することができる。
【００７７】
本実施形態の第２の特徴において、制御部２２は、上述のＭＡＣ-ＣＥに応じて、上りリンクの送信を停止する、或いは、上りリンクの送信を開始するように構成されていてもよい。
【００７８】
かかる構成によれば、新たに規定したＭＡＣ-ＣＥを用いて、上りリンクの送信の停止だけで無く、上りリンクの送信の再開も行うことができる。
【００７９】
本実施形態の第２の特徴において、制御部２２は、上述のＭＡＣ-ＣＥに応じて、上りリンクにおける送信状態を変更する、或いは、上りリンクにおける現在の送信状態を維持するように構成されていてもよい。
【００８０】
かかる構成によれば、新たに規定したＭＡＣ-ＣＥを用いて、上りリンクの送信の停止だけで無く、上りリンクの送信の再開についても行うことができる。
【００８１】
本実施形態の第２の特徴において、制御部２２は、上述のＭＡＣ-ＣＥに応じて、「ＴＡ  ｔｉｍｅｒ」を停止する、或いは、「ＴＡ  ｔｉｍｅｒ」を起動するように構成されていてもよい。
【００８２】
かかる構成によれば、新たに規定したＭＡＣ-ＣＥに応じて、「ＴＡ  ｔｉｍｅｒ」の状態を制御することによって、上りリンクの送信の停止だけで無く、上りリンクの送信の再開についても実施することができる。
【００８３】
本実施形態の第２の特徴において、制御部２２は、上述のＭＡＣ-ＣＥに応じて、「ＴＡ  ｔｉｍｅｒ」の状態を変更する、或いは、「ＴＡ  ｔｉｍｅｒ」の現在の状態を維持するように構成されていてもよい。
【００８４】
かかる構成によれば、新たに規定したＭＡＣ-ＣＥに応じて、「ＴＡ  ｔｉｍｅｒ」の状態を制御することによって、上りリンクの送信の停止だけで無く、上りリンクの送信の再開についても実施することができる。
【００８５】
本実施形態の第２の特徴において、制御部２２は、上述のＭＡＣ-ＣＥに応じて、「ＴＡ  ｔｉｍｅｒ」を停止或いは満了させるか否かについて決定するように構成されていてもよい。
【００８６】
かかる構成によれば、新たに規定したＭＡＣ-ＣＥに応じて、「ＴＡ  ｔｉｍｅｒ」の状態を制御することによって、上りリンクの送信の停止だけで無く、上りリンクの送信の再開についても実施することができる。
【００８７】
本実施形態の第２の特徴において、制御部２２は、上りリンクの送信を停止したＣＣにおいて、上りリンクの送信が指示された、すなわち、ＰＵＳＣＨが割り当てられた場合、或いは、ＳＲＳ送信或いはランダムアクセスプリアンブル送信がトリガされた場合、かかるＣＣにおける上りリンクの送信を再開するように構成されていてもよい。
【００８８】
かかる構成によれば、上りリンクの送信の停止だけで無く、上りリンクの送信の再開についても実施することができる。
【００８９】
本実施形態の第２の特徴において、制御部２２は、上りリンクの送信を停止したＣＣ（或いは、ＣＣ群）において、ＴＡコマンドが受信された場合、かかるＣＣにおける上りリンクの送信を再開するように構成されていてもよい。
【００９０】
かかる構成によれば、上りリンクの送信の停止だけで無く、上りリンクの送信の再開についても実施することができる。
【００９１】
さらに、本実施形態の第２の特徴において、制御部２２は、ＣＣ種別ごとに、すなわち、ＰＣＣ（主キャリア）又はＳＣＣ（副キャリア）ごとに、或いは、ＰＣＣを含むＣＣ群又はＰＣＣを含まないＣＣ群ごとに、「ＴＡ  ｔｉｍｅｒ」を停止する、或いは、上りリンクの送信を停止する等といった異なる制御を実施するように構成されていてもよい。
【００９２】
例えば、制御部２２は、ＰＣＣについては、「ＴＡ  ｔｉｍｅｒ」の停止及び再起動を行い、ＳＣＣについては、上りリンクの送信の停止及び再開を行うように構成されていてもよい。
【００９３】
また、上述の実施形態では、単に、上りリンクの送信を停止するものとして述べたが、特定の上りリンクの送信のみが停止されてもよい。
【００９４】
例えば、ランダムアクセスプリアンブル以外の、ＰＵＳＣＨ信号やＰＵＣＣＨ信号やＳＲＳ等の送信が停止されてもよい。
【００９５】
また、停止すべき上りリンクの送信について、無線基地局ｅＮＢによって指定されてもよい。かかる指定は、ＲＲＣレイヤやＰＤＣＰレイヤやＲＬＣレイヤやＭＡＣレイヤや物理レイヤ等の任意のレイヤで行われてもよい。
【００９６】
また、ＣＣ群に属するＣＣのいずれか１つについて、上りリンク送信の停止又は再開が指示された場合に、かかるＣＣが属するＣＣ群に属する全てのＣＣに対して、上りリンクの停止及び再開が行われてもよい。
【００９７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１００】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０１】
ｅＮＢ…無線基地局
ＵＥ…移動局
１１、２２…制御部
１２…送信部
２１…受信部
【図１】
2014072638.tif 000003
【図２】
2014072638.tif 000004
【図３】
2014072638.tif 000005
【図４】
2014072638.tif 000006
【図５】
2014072638.tif 000007
【図６】
2014072638.tif 000008
【図７】
2014072638.tif 000009